(57)【要約】【課題】まつげエクステンションの整列作業を改善できる製造方法を提供する。【解決手段】まつげエクステンション１００の製造方法である。樹脂（１２）の含水率を調整する工程（Ｓ１０）と、樹脂（１２）を金型から押し出しする工程（Ｓ２０）と、押し出しした繊維状の材料を切断する工程（Ｓ３０）と、切断した繊維状の材料の一端を溶解させる工程（Ｓ４０）と、人工まつげ本体部（１０）を整列させる工程（Ｓ５０）と、整列させた人工まつげ本体部（１０）をカールする工程（Ｓ６０）を実行する。【選択図】図１１
2017172090.tif 000002
【特許請求の範囲】
【請求項１】
まつげエクステンションの製造方法であって、
樹脂の含水率を調整する工程と、
前記樹脂を、人工まつげ本体部の形状を規定する開口部を有する金型から押し出しする工程と、
前記押し出しした繊維状の材料を切断する工程と、
前記切断した繊維状の材料の一端を溶解させることによって、先端部を有する人工まつげ本体部を形成する工程と、
前記人工まつげ本体部の先端部を基準にして、前記人工まつげ本体部を整列させる工程と、
前記整列させた人工まつげ本体部をカールする工程と
を含む、まつげエクステンションの製造方法。
【請求項２】
前記人工まつげ本体部における含水率（質量％）は、０．１％超え１０％以下である、請求項１に記載のまつげエクステンションの製造方法。
【請求項３】
前記人工まつげ本体部における含水率（質量％）は、０．２％以上５％以下である、請求項１に記載のまつげエクステンションの製造方法。
【請求項４】
前記樹脂の含水率を調整する工程において、前記樹脂に対して、前記含水率を調整する成分を配合することを実行する、請求項１に記載のまつげエクステンションの製造方法。
【請求項５】
前記含水率を調整する成分は、水分を保持可能な天然由来高分子成分から構成されている、請求項４に記載のまつげエクステンションの製造方法。
【請求項６】
前記含水率を調整する成分は、前記樹脂を１００質量部としたときに０．０１質量部から５質量部までの配合割合で、前記樹脂に配合される、請求項４または５に記載のまつげエクステンションの製造方法。
【請求項７】
前記カールする工程が終わった直後における前記人工まつげ本体部の前記成分の配合割合（質量％）は０．０１％以上５％以下である、請求項４または５に記載のまつげエクステンションの製造方法。
【請求項８】
前記カールする工程を実行する前における前記成分を含有する人工まつげ本体部の含水率（質量％）は０．１％超え１０％以下である、請求項４または５に記載のまつげエクステンションの製造方法
【請求項９】
さらに、前記人工まつげ本体部を構成する前記樹脂を着色することが実行され、
前記人工まつげ本体部は、黒色、ダークブラウン、パープル、ブルー、ピンク、シルバー、グリーン、ライトオレンジ、ライトゴールド、レッド、ワインレッド、ホワイトおよびイエローからなる群から選択される色で着色される、請求項１から８の何れか一つに記載のまつげエクステンションの製造方法。
【請求項１０】
前記人工まつげ本体部を整列させる工程の後、前記人工まつげ本体部の前記先端部の反対側の根本部を切断する工程を実行する、請求項１から９の何れか一つに記載のまつげエクステンションの製造方法。
【請求項１１】
まつげの長さを延長するまつげエクステンションであって、
先端部と末端部とを有する人工まつげ本体部を備え、
前記人工まつげ本体部の末端部の径は、先端部の径よりも太く、
前記人工まつげ本体部は、樹脂から構成されており、
前記人工まつげ本体部には、湾曲部が形成されており、
前記人工まつげ本体部の含水率（質量％）は０．１％超え１０％以下である、まつげエクステンション。
【請求項１２】
前記人工まつげ本体部を構成する樹脂は、前記含水率を調整する成分を含有している、請求項１１に記載のまつげエクステンション。
【請求項１３】
前記含水率を調整する成分は、水分を保持可能な天然由来高分子成分から構成されており、
前記天然由来高分子成分は、前記樹脂に分散して配合されており、
前記天然由来高分子成分は、前記樹脂を１００質量部としたときに０．０１質量部から５質量部までの配合割合で、前記樹脂に配合されている、請求項１２に記載のまつげエクステンション。
【請求項１４】
まつげの長さを延長するまつげエクステンションであって、
先端部と末端部とを有する人工まつげ本体部を備え、
前記人工まつげ本体部の末端部の径は、先端部の径よりも太く、
前記人工まつげ本体部は、樹脂から構成されており、
前記人工まつげ本体部には、湾曲部が形成されており、
前記人工まつげ本体部を構成する樹脂は、含水率を調整する成分を含有している、まつげエクステンション。
【請求項１５】
前記人工まつげ本体部の含水率（質量％）は０．１％超え１０％以下であり、
前記含水率を調整する成分は、前記樹脂に分散して配合されている、請求項１４に記載のまつげエクステンション。
【請求項１６】
まつげエクステンションが収納された容器であって、
請求項１３から１５の何れか一つに記載のまつげエクステンションと、
前記まつげエクステンションが複数本整列して貼り付けられる台紙と、
前記台紙を収納する容器本体部と
を備えている、容器。
【請求項１７】
前記人工まつげ本体部の末端部は、前記台紙に粘着固定されており、
前記人工まつげ本体部の先端部が基準線に対して±０．５ｍｍの範囲内になる精度で、前記人工まつげ本体部は整列されている、請求項１６に記載の容器。
【請求項１８】
まつげエクステンションの取付け方法であって、
前記まつげエクステンションは、
先端部と末端部とを有する人工まつげ本体部と、
前記人工まつげ本体部に含有され、前記含水率を調整する成分と
を備え、
前記人工まつげ本体部は、ポリブチレンテレフタレートから構成されており、
前記人工まつげ本体部の前記末端部に接着剤を塗布する工程と、
前記人工まつげ本体部の前記末端部に前記接着剤が塗布された状態で、前記接着剤をまつげに付ける工程と
を含む、まつげエクステンションの取付け方法。
【請求項１９】
前記人工まつげ本体部には、当該人工まつげ本体部がカールした湾曲部が形成されており、
前記人工まつげ本体部の含水率（質量％）は０．１％超え１０％以下であり、
前記含水率を調整する成分は、前記樹脂を１００質量部としたときに０．０１質量部から５質量部までの配合割合で、前記樹脂に含有されている、請求項１８に記載のまつげエクステンションの取付け方法。
【請求項２０】
前記接着剤が塗布される前の前記まつげエクステンションは、まつげエクステンション用の容器に収納されており、
前記容器の内部において、前記まつげエクステンションが複数本整列して貼り付けられる台紙が配置されており、
前記台紙に整列された前記まつげエクステンションは、ピンセットで掴まれて、前記台紙から離され、
前記ピンセットで掴まれた状態で、前記人工まつげ本体部の前記末端部への前記接着剤の塗布が実行される、請求項１８また１９に記載のまつげエクステンションの取付け方法。
【請求項２１】
まつげに装着する人工まつげであって、
先端部と末端部とを有する人工まつげ本体部を備え、
前記人工まつげ本体部の末端部の径は、先端部の径よりも太く、
前記人工まつげ本体部は、樹脂から構成されており、
前記人工まつげ本体部には、湾曲部が形成されており、
前記人工まつげ本体部を構成する樹脂は、含水率を調整する成分を含有している、人工まつげ。
【発明の詳細な説明】
【技術分野】
【０００１】
本発明は、まつげエクステンションの製造方法に関する。本発明はまた、まつげエクステンションおよびまつげエクステンションの取付け方法に関する。
【背景技術】
【０００２】
まつげに長さやボリュームを与え、より大きく、美しく、魅力的な目元を演出するためのアイテムの一つとして、つけまつげがある。つけまつげは、複数本の人工まつげを一纏めにして、その末端に接着部を設け、その接着部を使用者のまぶたに付けることによって、使用者のまつげに長さやボリュームを与えることができる（例えば、特許文献１、２など）。つけまつげは、使用者の皮膚に接着するため、装着感が悪く、場合によっては皮膚がかぶれるおそれがある。
【０００３】
これに対して、近年では、一本のまつげとほぼ同等の形状で長さや太さにボリュームを持たせた所謂まつげエクステンションと呼ばれる人工まつげが提案されている（例えば、特許文献３など）。このまつげエクステンション（まつげエクステ、または、人工まつげ）は、まぶたには接着せずに、接着剤を用いてまつげに直接接着するため、装着感が良く、皮膚がかぶれるおそれが少ない。また、まつげエクステは、まつげ一本に対して一本ずつ接着するので、つけまつげに比べて自然な感じでまつげに長さやボリュームを与えることができる。
【０００４】
なお、まつげエクステ業界において、最近、１本の地まつげに複数本のまつげエクステを付けたり、複数本の地まつげに複数本のまつげエクステを付けてボリュームを出すような装着手法がある。特に後者は地まつげの代謝の妨げとなる他、身体トラブルを引き起こすリスクが高まるので、そのような手法を採用する場合には、安全性の観点から注意を払う必要がある。
【先行技術文献】
【特許文献】
【０００５】
【特許文献１】特開２００８−２３１６３２号公報
【特許文献２】特開２００５−１４６５００号公報
【特許文献３】特開２０１０−２４５７９号公報
【発明の概要】
【発明が解決しようとする課題】
【０００６】
図１に、典型的なまつげエクステ１０００の構造を示す。図１に示したまつげエクステ１０００は、先端部１１１と末端部１１５とを有する人工まつげ本体部１１０から構成されている。人工まつげ本体部１１０は、化学繊維からなり、樹脂材料（特に、ポリブチレンテレフタレート（ＰＢＴ））から構成されている。
【０００７】
図１に示したまつげエクステ１０００は、図２（ａ）から（ｃ）に示すようにして、使用者（ユーザ）５５のまつげ５０に取り付けられる。まず、図２（ａ）に示すように、まつげエクステ１０００（人工まつげ本体部１１０）の一部をピンセット６０で掴み、そして、まつげエクステ１０００の末端部１１５に接着剤（グルー）１１７を塗布した状態で、まつげエクステ１０００をまつげ５０の近くに持っていく。
【０００８】
次に、図２（ｂ）に示すように、まつげエクステ１０００の接着剤１１７をまつげ５０に付けて、まつげエクステ１０００をまつげ５０に密着させる。そして、接着剤１１７が硬化して、まつげエクステ１０００がまつげ５０に固定されたならば、図２（ｃ）に示すように、ピンセット６０を外して、まつげエクステ１０００の取り付けが完了する。
この作業を各まつげ５０について行う。
【０００９】
まつげエクステ１０００は、まつげ５０への取付け（施術）の前は、図３に示したようなケース２０００内に収納されている。図３に示したケース２０００は、多数のまつげエクステ１０００を収納する容器部２１００と、容器部２１００の蓋をする蓋部２２００とから構成されている。図３に示した容器（まつげエクステ用容器）２１００から、まつげエクステ１０００を取り出すときは、容器２１００の蓋部２２００を開けて、容器部２１００の中に無造作に入れられている多数のまつげエクステ１０００から、一本だけをピンセット（６０）で掴む。そうやってピンセット６０でまつげエクステ１０００を１本掴んだ後は、図２（ａ）から（ｃ）に示すようにして、接着剤１１７を介してまつげ５０に取り付けていく。
【００１０】
しかしながら、細くて湾曲したまつげエクステ１０００の１本１本を、きちんとピンセット６０で掴むことは大変であり、しかも、正確な位置で掴まないと、図２（ａ）から（ｃ）のまつげエクステ１０００の取付け（施術）は上手くいかない。そこで、多数のまつげエクステ１０００をランダムに容器２１００に入れておくのではなく、図４に示すような、まつげエクステ１０００をきちんと整列させて収納する容器２５００が販売されている。
【００１１】
図４に示した容器（まつげエクステ用容器）２５００は、複数のまつげエクステ１０００が貼付された台紙２３５０を収納する容器部２３００と、その容器部２３００の蓋となる蓋部２４００とから構成されている。容器２５００内においては、まつげエクステ１０００は一列のブロック１５００の状態に整列されて台紙２３５０に貼り付けられている。そして、まつげエクステ１０００のブロック１５００は、何列もきれいに台紙２３５０に貼り付けられている。
【００１２】
図４に示した容器２５００に収納されたまつげエクステ１０００はきれいに整列されているので、ピンセット６０で一本のまつげエクステ１０００を掴むのは非常に楽である。具体的には、まつげエクステ１０００の一部（先端部１１１の周辺）を掴んで持ち上げると、まつげエクステ１０００の末端部１１５が台紙２３５０の粘着層から取れて、１本のまつげエクステ１０００だけを簡単にかつ上手にピックアップすることができる。また所望の箇所（人工まつげ本体部１１０の先端部１１１から中央部の所定箇所）を正確に掴むことが楽にできる。それゆえ、まつげエクステ１０００の取付け（施術）はスムーズに進み、施術者も、施術を受ける人も負担が少なくなる。
【００１３】
また、一列のブロック１５００は、同じ種類のまつげエクステ１０００（長さ、カール曲率、色などが同一、すなわち、同じ品番）として、他の列のブロック１５００には、それとは違う種類のまつげエクステ１０００を整列することが可能である。この場合、一つの容器２５００に複数種類のまつげエクステ１０００を入れることができるので、ユーザー（使用者）の要望に応えるのが容易になるので便利である。
【００１４】
図３に示した容器２１００の場合は、所定本数の多数のまつげエクステ１０００を容器部２１００に収納させたらそれでよいが、図４に示した容器２５００の場合は、まつげエクステ１０００を一列にきれいに整列させる必要がある。図５に示すように、このまつげエクステ１０００の整列（ブロック１５００の整列）はかなり精密なものであり、具体的には、まつげエクステ１０００の先端１１１が、基準線（基準高さ）１３００に対して±０．２ｍｍの範囲内で収まっているものだけを良品としている。
【００１５】
このような極めて高い精度の整列作業（まつげエクステ１０００の整列）は、機械では行うことができずに、すべて手作業で行っており、ものすごい手間とコスト、そして工員の習熟度が要求される作業となっている。なお、参考として、歯ブラシの毛の植え込みは機械で自動的に行うことができるが、その毛先の整列精度は±約１ｍｍ程度であり、それを超える高精度の毛先の整列は現在の自動化技術では無理である。
【００１６】
このような整列作業の手間を何とか削減・回避するために、本願発明者はいろいろ検討したが、上手い方法は見つからなかった。具体的には、まず、まつげエクステ１０００の台紙２３５０への整列作業を簡便化して、まつげエクステ１００の先端部１１１が基準線１３００に対してばらばらになっても許容する整列を実行した場合、まつげエクステ１０００を収納した容器（販売する製品）２５００の見栄えが悪く、売れない商品になってしまう。一方で、より高精度整列を実行できる機械による自動化を検討したが、日本および海外まで調べたが、そのような高精度の整列可能な機械は見つからなかった。まつげエクステ１０００は、細くて軽くて柔らかくて機械では取り扱い難いとともに、まつげ形状になるようにカール（湾曲）しているので、その点でも機械による整列自動化は難しい。結局は、一本一本のまつげエクステ１０００を手作業で、台紙２３５０にきれいに貼り付けていくしかないのが実情である。
【００１７】
本願発明者は、このような状況の中で、機械による自動化の整列作業は難しくても、一番コスト（時間・費用など）がかかる整列作業を簡便化すべく、まつげエクステ１０００の整列作業の改善に取り組み、種々の実験や検討の中で、まつげエクステ１０００の整列作業の効率を改善することに成功し、本発明に至った。
【００１８】
本発明はかかる点に鑑みてなされたものであり、その主な目的は、まつげエクステンションの整列作業を改善することができるまつげエクステンションの製造方法およびまつげエクステンションを提供することにある。
【課題を解決するための手段】
【００１９】
本発明に係る製造方法は、まつげエクステンションの製造方法であり、樹脂の含水率を調整する工程と、前記樹脂を、人工まつげ本体部の形状を規定する開口部を有する金型から押し出しする工程と、前記押し出しした繊維状の材料を切断する工程と、前記切断した繊維状の材料の一端を溶解させることによって、先端部を有する人工まつげ本体部を形成する工程と、前記人工まつげ本体部の先端部を基準にして、前記人工まつげ本体部を整列させる工程と、前記整列させた人工まつげ本体部をカールする工程とを含む。
【００２０】
ある好適な実施形態において、前記人工まつげ本体部における含水率（質量％）は、０．１％超え１０％以下である。
【００２１】
ある好適な実施形態において、前記人工まつげ本体部における含水率（質量％）は、０．２％以上５％以下である。
【００２２】
ある好適な実施形態では、前記樹脂の含水率を調整する工程において、前記樹脂に対して、前記含水率を調整する成分を配合することを実行する。
【００２３】
ある好適な実施形態において、前記含水率を調整する成分は、水分を保持可能な天然由来高分子成分から構成されている。
【００２４】
ある好適な実施形態において、前記含水率を調整する成分は、前記樹脂を１００質量部としたときに０．０１質量部から５質量部までの配合割合で、前記樹脂に配合される。
【００２５】
ある好適な実施形態において、前記カールする工程が終わった直後における前記人工まつげ本体部の前記成分の配合割合（質量％）は０．０１％以上５％以下である。
【００２６】
ある好適な実施形態において、前記カールする工程を実行する前における前記成分を含有する人工まつげ本体部の含水率（質量％）は０．１％超え１０％以下である。
【００２７】
ある好適な実施形態では、さらに、前記人工まつげ本体部を構成する前記樹脂を着色することが実行され、前記人工まつげ本体部は、黒色、ダークブラウン、パープル、ブルー、ピンク、シルバー、グリーン、ライトオレンジ、ライトゴールド、レッド、ワインレッド、ホワイトおよびイエローからなる群から選択される色で着色される。
【００２８】
ある好適な実施形態では、前記人工まつげ本体部を整列させる工程の後、前記人工まつげ本体部の前記先端部の反対側の根本部を切断する工程を実行する。
【００２９】
本発明に係るまつげエクステンションは、まつげの長さを延長するまつげエクステンションであり、先端部と末端部とを有する人工まつげ本体部を備え、前記人工まつげ本体部の末端部の径は、先端部の径よりも太く、前記人工まつげ本体部は、樹脂から構成されており、前記人工まつげ本体部には、湾曲部が形成されており、前記人工まつげ本体部の含水率（質量％）は０．１％超え１０％以下である。
【００３０】
ある好適な実施形態において、前記人工まつげ本体部を構成する樹脂は、前記含水率を調整する成分を含有している。
【００３１】
ある好適な実施形態において、前記含水率を調整する成分は、水分を保持可能な天然由来高分子成分から構成されており、前記天然由来高分子成分は、前記樹脂に分散して配合されており、前記天然由来高分子成分は、前記樹脂を１００質量部としたときに０．０１質量部から５質量部までの配合割合で、前記樹脂に配合されている。
【００３２】
本発明に係るまつげエクステンションは、まつげの長さを延長するまつげエクステンションであり、先端部と末端部とを有する人工まつげ本体部を備え、前記人工まつげ本体部の末端部の径は、先端部の径よりも太く、前記人工まつげ本体部は、樹脂から構成されており、前記人工まつげ本体部には、湾曲部が形成されており、前記人工まつげ本体部を構成する樹脂は、含水率を調整する成分を含有している。
【００３３】
ある好適な実施形態において、前記人工まつげ本体部の含水率（質量％）は０．０１％超え１０％以下であり、前記含水率を調整する成分は、前記樹脂に分散して配合されている。
【００３４】
本発明に係る容器は、まつげエクステンションが収納された容器であり、上記のまつげエクステンションと、前記まつげエクステンションが複数本整列して貼り付けられる台紙と、前記台紙を収納する容器本体部とを備えている。
【００３５】
ある好適な実施形態において、前記人工まつげ本体部の末端部は、前記台紙に粘着固定されており、前記人工まつげ本体部の先端部が基準線に対して±０．５ｍｍの範囲内になる精度で、前記人工まつげ本体部は整列されている。
【００３６】
本発明に係る取付け方法は、まつげエクステンションの取付け方法であり、前記まつげエクステンションは、先端部と末端部とを有する人工まつげ本体部と、前記人工まつげ本体部に含有され、前記含水率を調整する成分とを備え、前記人工まつげ本体部は、ポリブチレンテレフタレートから構成されており、前記人工まつげ本体部の前記末端部に接着剤を塗布する工程と、前記人工まつげ本体部の前記末端部に前記接着剤が塗布された状態で、前記接着剤をまつげに付ける工程とを含む。
【００３７】
ある好適な実施形態において、前記人工まつげ本体部には、当該人工まつげ本体部がカールした湾曲部が形成されており、前記人工まつげ本体部の含水率（質量％）は０．１％超え１０％以下であり、前記含水率を調整する成分は、前記樹脂を１００質量部としたときに０．０１質量部から５質量部までの配合割合で、前記樹脂に含有されている。
【００３８】
ある好適な実施形態において、前記接着剤が塗布される前の前記まつげエクステンションは、まつげエクステンション用の容器に収納されており、前記容器の内部において、前記まつげエクステンションが複数本整列して貼り付けられる台紙が配置されており、前記台紙に整列された前記まつげエクステンションは、ピンセットで掴まれて、前記台紙から離され、前記ピンセットで掴まれた状態で、前記人工まつげ本体部の前記末端部への前記接着剤の塗布が実行される。
【００３９】
本発明に係る人工まつげは、まつげに装着する人工まつげ（例えば、まつげエクステンション、または、つけまつげ）であり、先端部と末端部とを有する人工まつげ本体部を備え、前記人工まつげ本体部の末端部の径は、先端部の径よりも太く、前記人工まつげ本体部は、樹脂から構成されており、前記人工まつげ本体部には、湾曲部が形成されており、前記人工まつげ本体部を構成する樹脂は、含水率を調整する成分を含有している。
【発明の効果】
【００４０】
本発明に係るまつげエクステンションの製造方法によれば、樹脂の含水率を調整した後、その樹脂を金型から押し出し、押し出しした繊維状の材料を切断する。これにより、先端部を有する人工まつげ本体部を形成した後に、人工まつげ本体部を整列させるときに、人工まつげ本体部に発生する静電気を抑制することができ、それによって、人工まつげ本体部の整列工程を簡単に行うことが可能となる。さらに、その人工まつげ本体部をカールすることによって、高精度で整列した状態のまつげエクステンションを１つブロック（１列のまつげエクステンション）にすることができ、次いで、台紙に固定（粘着）することができる。
【図面の簡単な説明】
【００４１】
【図１】まつげエクステンション１０００の構成を示す斜視図である。
【図２】（ａ）から（ｃ）は、まつげエクステンション１０００をまつげ５０に取り付ける方法を説明する図である。
【図３】多数のまつげエクステンション１０００を収納するケース２０００を示す斜視図である。
【図４】複数のまつげエクステンション１０００を一列に整列させて収納するケース２５００を示す斜視図である。
【図５】整列したまつげエクステンション１０００の先端部１１１が揃っている状態を模式的に示す斜視図である。
【図６】本願発明者が検討したまつげエクステンション１０００の製造方法を説明するためのフローチャートである。
【図７】所定長さの繊維（人工まつげ本体部）３０００がバンド３１００で束ねられた状態を示す斜視図である。
【図８】人工まつげ本体部３０００を平版３２００の上に配置した状態を示す斜視図である。
【図９】先端部３１１１を基準にして人工まつげ本体部３０００を整列された状態を示す図である。
【図１０】人工まつげ本体部３０００の根本（末端部３１１５Ｂ）を切断して揃えた状態を示す図である。
【図１１】本発明の実施形態に係るまつげエクステンション１００の製造方法を説明するためのフローチャートである。
【図１２】本発明の実施形態に係るまつげエクステンション１００の構成を示す斜視図である。
【図１３】図１２中のＡ−Ａ線に沿ったまつげエクステンション１００の断面図である。
【図１４】図１２中のＢ部分におけるまつげエクステンション１００の断面図である。
【図１５】まつげエクステンション１００をまつげ５０に取り付けた状態を説明するための図である。
【図１６】まつげエクステンション１００を上まつげ５０に取り付けた状態を示す図である。
【図１７】（ａ）から（ｄ）は、それぞれ、カール１０ｃの状態が異なるまつげエクステ１００Ａから１００Ｄを説明するための模式図である。
【図１８】まつげエクステンション１００を一列に整列させて収納するケース２００を示す斜視図である。
【図１９】整列したまつげエクステンション１００の先端部１１が揃っている状態を模式的に示す斜視図である。
【図２０】ケース２００を開いてまつげエクステンション１００を取り出せる状態にした構成を示す斜視図である。
【図２１】含水率に対する静電気体感度などの関係についての実験結果を示すテーブルである。
【図２２】まつげエクステンション１０１の構成を示す斜視図である。
【図２３】図２２中のＡ−Ａ線に沿ったまつげエクステンション１０１の断面図である。
【図２４】図２２中のＢ部分におけるまつげエクステンション１０１の側面図である。
【図２５】まつげエクステンション１０２の構成を示す斜視図である。
【図２６】図２５中のＡ−Ａ線に沿ったまつげエクステンション１０２の断面図である。
【図２７】図２５中のＢ部分におけるまつげエクステンション１０２の断面図である。
【図２８】本発明の実施形態に係るつけまつげ１０５の構成を示す図である。
【発明を実施するための形態】
【００４２】
本発明の実施形態に係るまつげエクステンション（以下、「まつげエクステ」または「
エクステ」と称する）の製造方法の説明の前に、図６および図７から図１０を参照しながら、本願発明者が検討した製造方法について説明する。図６は、本願発明者が検討したまつげエクステの製造方法を説明するフローチャートである。
【００４３】
図６に示すように、まつげエクステンションを製造する場合、まず、まつげエクステ用の樹脂（ポリブチレンテレフタレート：ＰＢＴ）を用意する（工程Ｓ１１０）。次に、その樹脂（ＰＢＴ）を、まつげエクステ用の繊維を作製するための金型から押し出して、繊維を作製する（工程Ｓ１２０）。その後、その繊維（まつげエクステ用繊維）を、所定長さ（まつげエクステの加工がしやすい長さ）に切断する（工程Ｓ１３０）。
【００４４】
次に、その所定長さの繊維を束ねた状態で繊維の先端を薬品に浸して、それによって、繊維の一部を溶解させて、まつげエクステの先端部を作製する（工程Ｓ１４０）。図７に、所定長さの繊維３０００がバンド３１００で束ねられた状態で、薬品への含浸によって先端部が形成されたもの（人工まつげ本体部）を示す。
【００４５】
次に、その先端部が形成された人工まつげ本体部３０００を平板の上に整列させる（工程Ｓ１５０）。図８に、人工まつげ本体部３０００を平版３２００の上に配置し、その人工まつげ本体部３０００の上に重石３３００を載せて、人工まつげ本体部３０００を整列させる。図８に示すように、人工まつげ本体部３０００の先端部３１１１が揃うようにして（先端部３１１１が基準になるようにして）、末端部３１１５Ｂの方は、長さが揃わなくてもいいようにしている。
【００４６】
次いで、図９に示すように、人工まつげ本体部３０００の先端部３１１１が揃った状態で、テープ３４００を貼り、人工まつげ本体部３０００を整列させた状態で固定する（同じく工程Ｓ１５０）。次に、図１０に示すように、人工まつげ本体部３０００の根本（末端部３１１５Ｂ）をきれいに切断し、まつげエクステ製品の長さ（１ｍｍ単位の寸法で規定）となるようにした末端部３１１５の人工まつげ本体部３０００を得る（工程Ｓ１５５）。
【００４７】
その後、所定長さに揃った人工まつげ本体部３０００に所定曲率のカールを施して（工程Ｓ１６０）、まつげ形状を有するまつげエクステを作製する。そして、そのまつげエクステを台紙に貼ることで（工程Ｓ１７０）、図４に示した製品（まつげエクステ１０００を収納した容器２５００）が得られる。なお、台紙に貼らずにバラバラの状態にする場合（例えば、図３に示したケース２０００又は袋に入れる場合）は、カール工程（Ｓ１６０）でまつげエクステ１０００を作製したら、テープ３４００から外して、ケース詰め（袋詰め）をしたらよい。
【００４８】
この一連の製造工程において大変で手間がかかるのが、人工まつげ本体部の整列工程（Ｓ１５０）である。この整列工程の段階で、きれいに人工まつげ本体部（３０００）を整列させておかないと（すなわち、先端部３１１１が±０．２ｍｍの精度）、その後は、不良品に至る可能性が高くなってしまう。また、この整列工程は、機械の自動化が困難であり、人手に頼らなくてはならず、手間もコストもかかるとともに、工員にも習熟度が求められる。この工程がボトルネックとなって、製造の納期短縮が難しかったり、より一層のコスト削減が難しかったりする。
【００４９】
本願発明者は、なぜ、人工まつげ本体部の整列工程（Ｓ１５０）がそんなに大変なのかをもう一度新たな視点で見直した。すなわち、当該整列工程（Ｓ１５０）を実施している作業員は、すでに、その工程の条件・環境が当たり前になってしまっている関係上、黙々とその作業を正確・効率良く行うことが至上命題になっており、前提となっている条件や環境を見直すことが難しい。そこで、本願発明者は、整列工程（Ｓ１５０）の課題を再度見直すことにした。
【００５０】
本願発明者が技術常識を外した新たな目で整列工程（Ｓ１５０）を見直したら、図８及び図９における人工まつげ本体部３０００をきれいに並べるのが、簡単でないことがわかった。すなわち、人工まつげ本体部３０００は樹脂（ＰＢＴ）から構成されており、当該樹脂は、誘電体（絶縁性材料）であるので、静電気を持ちやすい。まつげのように細い樹脂繊維（人工まつげ本体部３０００）が静電気を持った場合、それぞれが静電気で引っ付きあって、重石３３００や手で平らにならしたとしても、簡単には、図９に示すようなきれいな整列状態にはならない。もし静電気の影響を緩和することができれば、人工まつげ本体部３０００を図９に示したようなきれいな整列状態にすることが容易になる可能性が開ける。
【００５１】
しかしながら、人工まつげ本体部３０００は樹脂製（ＰＢＴ製）であるので、その樹脂（誘電体）が静電気を持つことは物性であるので、人工まつげ本体部３０００を構成する樹脂が静電気を持ってしまうことは仕方ない。また、当該樹脂（ＰＢＴ）は、疎水性材料であるので、静電気を防止するために霧吹きのようなものをかけても、当該樹脂の表面に水滴（霧吹きの粒子）が付くだけで、樹脂の内部に吸い込まず逆に水によってくっついてしまう上、さらに乾燥させる工程も必要となり製造工数が増える。すなわち、整列作業に悪影響をもたらしてしまう。
【００５２】
本願発明者は、整列工程（Ｓ１５０）における作業空間の湿度を上げることで静電気の発生を調整しようとするような発想もしてみたが、実際に、広い工場内でそのようなことは無理であり、仮にそのようなことを行うと、まつげエクステの製造コストがあがってしまうので好ましくない。また、当該樹脂（ＰＢＴ）に水を導入したとしても、疎水性の樹脂と水とは上手く混合しないので、人工まつげ本体部（まつげエクステ）の材料としては好ましくない。
【００５３】
そのような中、人工まつげ本体部（３０００）を構成する材料（樹脂材料）に、親水性の材料（含水材料）を混練することで、人工まつげ本体部の含水率を調整・コントロールできないかというアイデアを思いつき、それを実行してみたところ、その含水率が調整された人工まつげ本体部の整列作業は、静電気の抑制効果によって良好に実行できた。さらに、その含水率が調整された人工まつげ本体部（３０００）をカールする工程（Ｓ１６０）を実行したところ、人工まつげ本体部（まつげエクステ）のカール（湾曲）の持続時間をコントロールすることができることもわかった。
【００５４】
以下、図面を参照しながら、本発明の好適な実施形態を説明する。以下の図面においては、説明の簡潔化のために、実質的に同一の機能を有する構成要素を同一の参照符号で示す。また、本明細書において特に言及している事項以外の事柄であって本発明の実施に必要な事項は、当該分野における従来技術に基づく当業者の設計事項として把握され得る。本発明は、本明細書及び図面によって開示されている内容と当該分野における技術常識とに基づいて実施することができる。加えて、本発明は、以下の実施形態に限定されるものではない。
【００５５】
以下、本発明の実施形態に係るまつげエクステンション１００およびその製造方法を説明する。図１１は、本実施形態のまつげエクステンション１００の製造方法を説明するためのフローチャートである。また、図１２は、本実施形態の製造方法によって作製されるまつげエクステンション１００の構造を示している。図１３及び図１４は、それぞれ、図１２のＡ線に沿った断面図、および、Ｂ部分の拡大断面図である。
【００５６】
本実施形態のエクステンション１００は、先端部１１と末端部１５とを有する人工まつげ本体部１０を備えている。人工まつげ本体部１０は、まつげ型の形状を有しており、そして、人工まつげ本体部１０には、まつげ５０に取り付けた時に自然な角度になるようなカーブ（湾曲部１０ｃ）が形成されている。具体的には、人工まつげ本体部１０の末端部１５の径（ここでは、直径）は、先端部１１の径（直径）よりも太い。人工まつげ本体部１０は、かるく湾曲しており、先端部１１のトップは尖っている。本実施形態の人工まつげ本体部１０の長さは、例えば５ｍｍ〜２０ｍｍであり、末端部１５の端面１５ａの直径（または厚さ）は例えば０．０７ｍｍ〜０．３ｍｍである。図１３及び図１４では、末端部１５における直径φを表記している。
【００５７】
本実施形態の人工まつげ本体部１０は、樹脂１２から構成されている。言い換えると、人工まつげ本体部１１０は、化学繊維からなり、樹脂材料から構成されている。本実施形態の人工まつげ本体部１０を構成する樹脂は、例えば、ポリブチレンテレフタレート、ポリエステル、アクリル、塩化ビニル、ナイロンから構成されている。この例の人工まつげ本体部１０は、ポリブチレンテレフタレート（ＰＢＴ）から構成されている。なお、人工まつげ本体部１０は、黒色の他、着色された材料から構成されていてもよい。人工まつげ本体部１０は、例えば、ダークブラウン、パープル、ブルー、ピンク、シルバー、グリーン、ライトオレンジ、ライトゴールド、レッド、ワインレッド、ホワイト、イエローなどの色にすることができ、それによって、カラーエクステンションを実現することが可能である。
【００５８】
本実施形態の人工まつげ本体部１０の断面は、図１３に示すように、円形形状を有している。本実施形態の構成における「円形形状」は、幾何学的な意味での円形の形状（真円）に限らず、多少歪んでいても構わない。例えば、真円から見ると、楕円形状、長円形状などのものであっても構わない。本実施形態の例では、人工まつげ本体部１０の断面には、溝、山・谷のような凹凸は形成されておらず、人工まつげ本体部１０の断面は、なめらかな曲線からなる形状（略円形）となっている。
【００５９】
本実施形態の構成において、人工まつげ本体部１０の含水率は調整されている。その理由の一つは、図１に示したような含水率が調整されていない場合の人工まつげ本体部（１１０）と比較して、人工まつげ本体部１０の含水率を調整すること（高めること）によって、静電気の発生を防止／抑制するためである。もう一つの理由は、人工まつげ本体部１０の含水率を調整することで（具体的には、上限を設定することで）、人工まつげ本体部１０のカール（湾曲部１０ｃ）の持続力（持続時間）をコントロールすることである。本実施形態の人工まつげ本体部１０の含水率（質量％）は、例えば、０．１％を超え１０％以下である。より良い静電気発生の防止（抑制）を満たす観点からは、人工まつげ本体部１０の含水率（質量％）の下限値（「以上」の基準値となる値）は、例えば０．２％以上、または、０．３％以上であることが好ましい。本実施形態の人工まつげ本体部１０の含水率の一例は、０．２％以上５％以下であり、または、０．２％以上１％以下、あるいは、０．３％（±０．１％）、または、０．４％（±０．１％）、０．５％（±０．１％）、１．０％（±０．１％）もしくは１．０％（±０．５％）である。含水率の測定は、市販の加熱乾燥式水分計（例えば、ＰＥＴペレットの含水率を測定可能な装置）を用いて行うことができる。ただし、公定試験法（加熱乾燥法）、近赤外分光法、その他の含水率の測定手法を排除するものではない。
【００６０】
本実施形態の人工まつげ本体部１０は、含水率を調整する成分を含有している。さらに説明すると、人工まつげ本体部１０を構成する樹脂（例えば、ＰＢＴ）は、疎水性材料であるので、樹脂中に水を混練させることが難しく、また、均一に水を含有させることが困難である。また、樹脂中に水が含浸しているというよりか、樹脂とは分離した形態で水が含有されているとすると、水を含有する人工まつげ本体部１０から水分が蒸発したり、蒸発しなかったりして、含水率のコントロールが難しく、含水率を一定に制御することが難しくなる。本実施形態の人工まつげ本体部１０では、含水率を調整する成分（「含水率調整成分」などと称する）が樹脂１２に配合されている。
【００６１】
本実施形態の含水率調整成分は、水分を保持できる成分で、その成分が樹脂１２に混練されると、樹脂１２中に均一に分散されるような成分であることが好ましい。そのような含水率調整成分は、人工まつげ本体部１０の表面１０ａに露出することができるが、完全に均一に分散されている必要はなく、人工まつげ本体部１０の含水率を調整（向上）できるのであれば、人工まつげ本体部１０の表面１０ａには存在して静電気を防止し、人工まつげ本体部１０の中心部（コア）には存在していない（または、密度／濃度が少ない）状態であってもよい。なお、含水率調整成分が樹脂１２中に均一に分散していなくてよいが、静電気防止機能を果たす観点からは、少なくとも、人工まつげ本体部１０の表面（表面部）１０ａには存在している方が好ましい。
【００６２】
本実施形態の構成において、含水率調整成分は、例えば、水分を保持可能な天然由来高分子成分である。そのような天然由来高分子成分としては、タンパク質（場合によっては、ペプチドも含む）またはタンパク質を含む材料、多糖類または多糖類を含む材料を挙げることができ、種々あるタンパク質または多糖類のうちで、特性／製造プロセス条件にあわせて、適宜好適なものを選択して使用する他、アミノ酸（またはその誘導体）、コラーゲン、ゼラチン、ヒアルロン酸、寒天、アルギン酸（またはその誘導体）、キチン、キトサンなどを使用することができる。含水率調整成分として、天然由来高分子成分を使用した場合は、天然材料というイメージから、ユーザーに安心感を与えることができるが、含水率調整成分としては、水分を保持可能な人工材料（例えば、親水性／水分保持可能な人工高分子材料・親水性ポリマー）を使用することができる。また、水分を保持できる無機材料（例えば、親水性無機材料、酸化金属材料（酸化金属イオン粒子）、金属イオン材料（金属イオン粒子など）を使用することも可能である。さらに、上述した材料の組み合わせ（混合物）を用いることも可能であるし、上述した材料の誘導体（例えば、エステル、修飾基付加、塩など）またはそれらの混合物を用いることも可能である。加えて、人工まつげ本体部１０の樹脂１２中に良好に含水率調整成分を分散させる観点からは、含水率調整成分は粒子状であることが好ましく、例えば、３０μｍ以下程度の粒径（平均粒径）を有しており、好ましくは、２０μｍ以下（または１０μｍ以下）の粒径のものであって粒径ができるだけ揃っているもの（粒径分布がきれいなもの）がよい。ただし、粒子形態であることや粒径の数字などは、製造／使用するまつげエクステによって好適なものを選択すればよく、それらのものに限定されるものではない。
【００６３】
図１５は、本実施形態のまつげエクステンション１００を、使用者（装着者）５５のまつげ５０に取り付けた様子を示す図である。本実施形態のまつげエクステンション１００は、使用者５５のまつげ５０の長さを延長する人工まつげであり、接着剤（グルー）２０によってまつげ５０に固定される。なお、本実施形態では、まつげエクステンションを「まつげエクステ」と称する場合もある。
【００６４】
図１６は、上まつげ５０のそれぞれにエクステンション１００を取り付けた様子を示している。図１６に示すように、数多くのエクステンション１００が上まつげ５０に取り付けられている。このような状態でまつげエクステ１００がなるべく長時間まつげ５０に付いていることが、使用者（ユーザ）５５によって好ましい。
【００６５】
人（装着者）５５は、まつげエクステ１００によって目を大きく見せたいために、下向きでなく上向きになっていることを好む。その上向き状態を長時間維持するために、本実施形態のまつげエクステ１００は、人毛や獣毛でなく、化繊（樹脂製の繊維）から人工まつげ本体部１０を構成し、その人工まつげ本体部１０を加熱してカール形状を記憶させる。なお、人毛や獣毛は天然素材であるがゆえに加熱だけで形状（湾曲形状）を変化させた場合、水やお湯などによる吸水によってカールがすぐに緩くなって真っ直ぐ（直毛）に戻ってしまう。また、まつげエクステ材料としては長さや形や色艶が均一であることが望ましいが、人毛や獣毛は天然素材であるので、そのような均一さを求めることは困難であり、実際にそのレベルの均一さを要求すれば、製造コストが高くなるとともに、不均一なまつげエクステ材料を用いて施術することは、美容師の操作技術が高度になってしまい好ましくない。さらには、消費者もそのような不均一なまつげエクステ材料を望んでいないということがあり、そして、天然素材からなるまつげエクステは、衛生面でも難があり、下処理が不十分なときは目元の眼病リスクを高める恐れがある。
【００６６】
樹脂１２から構成されたまつげエクステ１００は、例えば、図１７（ａ）から（ｄ）に示すように、様々なカール形状にすることができる。図１７（ａ）から（ｄ）では、それぞれ、Ｉカール、Ｊカール、Ｃカール、Ｄカールのまつげエクステ１００を示しているが、それ以外にも、ＣＣカール、ＳＣカール、その他のカール（ＭＩＸカール、ＳＳＣカール、Ｌカールなど）のまつげエクステ１００もある。
【００６７】
図１７（ａ）に示したまつげエクステ１００Ａは、Ｉカールのまつげエクステである。Ｉカールのまつげエクステ１００Ａは、ほとんどカールがないまつげエクステであり、あまり派手にしたくなく、自然な仕上がりにしたい人に向いている。特に、元々まつげ５５が上向きに生えていて、ビューラーいらずの方に向いている。
【００６８】
図１７（ｂ）に示したまつげエクステ１００Ｂは、Ｊカールのまつげエクステである。Ｊカールのまつげエクステ１００Ｂは、ゆるやかで自然なカールがついているまつげエクステであり、まるで自まつげのような仕上りにしたい人に向いている。日本人の顔立ちに似合うカールで、伏し目になった時、一番美しい目元を演出できる。特に、自まつげが地面と水平に生えている方に向いており、また、前から見て、毛先が上がって見え過ぎないクールな目元がお好みの方に向いている。
【００６９】
図１７（ｃ）に示したまつげエクステ１００Ｃは、Ｃカールのまつげエクステである。Ｃカールのまつげエクステ１００Ｃは、ビューラーをかけたようなカールがついているまつげエクステである。前から見ると、ほどよく毛先が見えて、その分、目を大きく見せることができ、そして、当該カールが目元を可愛らしく演出することができる。特に、元々まつげがやや下向きに生えている方に向いており、また、前から見て、毛先が上がって見えるためキュートな目元が好みの方に向いている。
【００７０】
図１７（ｄ）に示したまつげエクステ１００Ｄは、Ｄカールのまつげエクステである。Ｄカールのまつげエクステ１００Ｄは、Ｃカールよりも更に丸みを帯びたカールが強いまつげエクステである。ビューラーを強くかけたイメージで、お人形のようなパッチリした可愛らしい目元を演出できるので、より目を大きく見せることができる。特に、元々まつげが下向きに生えている方に向いており、また、前から見て、毛先が真上に上がるのでキュートでより丸い目元がお好みの方に向いている。
【００７１】
上述したようなカールを天然素材で均一に且つ簡便に形成することは困難である。なお、天然素材でカールを付けるには、毛の構造上、アンモニア系の薬剤で物性を変化させなければ形状を維持できない（いわゆる「パーマ」をかける）。パーマをかけずに、単に加熱して水分を減らして形状を維持させている場合（いわゆる、ドライヤーによるカール形成）、湿度が高い夏場や雨の日だと、すぐにカールが緩くなってしまう。
【００７２】
まつげエクステ１００には、数種類のカール製品（カールの形状、または、カールの湾曲強度）があり、そして、そのカール形状の維持期間は一時的なものでは不良であり、長時間維持されている必要がある。しかしながら、カール形状維持期間をコントロールする有効な手法は、まつげエクステ業界において見出されていない。また、本願発明者の検討よると、製造時にカール形状が良品であっても、しばらくして、カール形状が崩れて（緩くなって）しまう例があり、この良品・不良品の判別が難しいという問題もあった。そのような中、本願発明者は、人工まつげ本体部１０の含水率をコントロール（調整／制御）することにより、まつげエクステのカール持続力（カール形状維持期間）を制御できることを見出した。
【００７３】
さらに説明すると、本願発明者は、まつげエクステ１００の製造の際に、化繊（人工まつげ本体部１０）を構成する樹脂１２に配合可能な所定成分（すなわち、含水率調整成分、または、吸湿・吸水成分）を配合可能な割合で混ぜる（配合、混練）ことによって、人工まつげ本体部１０の水分率をコントロールできることを見出した。そして、この水分量（含水率調整成分の配合量）を任意で調整することで、まつげエクステ１００のカール形状記憶期間を調整できることがわかった。
【００７４】
まつげエクステ１００は、上向きが理想的であるので、化繊（樹脂製の人工まつげ本体部１０）にカールをかける必要があるが、まつげエクステの製造の際に加熱方法や加熱時間を間違えると、カールがしっかり形成できなかったり、短期間でカールが緩くなってしまうという現象（リスク）が生じる。そのようなまつげエクステ１００を消費者（使用者、装着者）に提供した場合、洗顔や入浴を行っただけで、カール形状が弱くなるということが発生する。これは、消費者にとって大きなデメリットであり、まつげエクステの施術者（美容師）およびまつげエクステのメーカーを大いに悩ませる問題である。そして、まつげエクステを製造販売するメーカー・販売店や、美容師は、手元のすべてが不良であるかの判別を適切に行うことができず、さらには、不良であるか否かの判別が困難であるため、大きな問題になっている。そして、それらの問題を、本発明の実施形態に係るまつげエクステ１００は解決することが可能である。
【００７５】
ここで、図１１を参照しながら、本発明の実施形態に係るまつげエクステンション１００の製造方法を説明する。
【００７６】
まず、樹脂１２の含水率を調整する工程（Ｓ１０）を行う。樹脂１２は、上述したように、例えば、ポリブチレンテレフタレート（ＰＢＴ）、ポリエステル、アクリル、塩化ビニル、ナイロンなどであり、本実施形態の典型的なケースでは、樹脂１２はＰＢＴであるが、他の樹脂を使用してもよい。樹脂１２（ＰＢＴ）に、含水率調整成分（または、吸湿・吸水成分）を入れて、混練する。なお、すでに混練した状態の樹脂１２を用意してもよい。含水率調整成分には水分を含ませたり、自然に水を吸収した状態で含水率調整成分の使用を行う。
【００７７】
本実施形態においては、含水率調整成分は、樹脂（ＰＢＴ）１２を１００質量部としたときに、例えば０．０１質量部から５質量部までの配合割合（境界値は含む）で、樹脂１２に配合される。なお、含水率調整成分の配合割合は、人工まつげ本体部１０を整列させる工程（Ｓ５０）、および、人工まつげ本体部１０のカールを行う工程（Ｓ６０）の際における人工まつげ本体部１０の含水率にあわせて決定される。したがって、ターゲット（目標）としている所望の含水率に応じ、そして、使用する含水率調整成分の種類（または、含水率調整成分に含まれる水分量）にあわせて、適宜、適切な値（割合、質量）を採用したらよい。なお、少量の含水率調整成分であっても多くの水（水分）を保持することがあるので、含水率調整成分の割合（質量％、または、質量割合）が、水の割合（含水率（％）など）の値になるとは限らない。
【００７８】
本実施形態の構成おいて、人工まつげ本体部１０（樹脂１２を含む全体の質量）に含有させる含水率調整成分の配合割合（質量％）は１０％以下であり、実際の製品における実用性を考慮すると５％以下である。含水率調整成分の配合割合が多すぎると、人工まつげ本体部１０を構成する混合物（樹脂１２および含水率調整成分が混合された材料）の物性が、樹脂１２単独のものと比べて変化してしまい、まつげエクステンション１００のカーブ（湾曲）が出せなくなったり、所定の柔らかさが出なくなったりする可能性がでてくる。本実施形態の一例の含水率調整成分の配合割合（質量％）は、２％以下、または、約１％または１％以下（好適には、１％、または１％程度、例えば１％±０．３％、または１％±０．５％など）である。また、物性の変化を極力抑えるために、上限を１％として、例えば０．５％±０．１％などの範囲で、配合割合を決定してもよい。人工まつげ本体部１０のカーブ（湾曲）が出せて、他の条件（柔らかさなど）を満たせるのであれば、含水率調整成分の配合割合は、上記の数字に限定されず、適宜好適なものにしても構わない。なお、本実施形態では、人工まつげ本体部１０に全体の質量に対する含水率調整成分の質量を配合割合で表しているが、場合によっては、人工まつげ本体部１０全体基準でなく、樹脂１２基準の方が配合割合を決める方が便利であれば、樹脂１２を１００質量部として、含水率調整成分の質量の割合（例えば、１０質量部以下）を代用しても構わない。
【００７９】
本実施形態のまつげエクステ１００を着色する場合には、含水率調整成分を樹脂１２に混合する段階（工程Ｓ１０）で、樹脂に顔料を入れて、着色を行うことができる。樹脂１２の着色（または染色）は、黒色にすることができる他、例えば、ダークブラウン、パープル、ブルー、ピンク、シルバー、グリーン、ライトオレンジ、ライトゴールド、レッド、ワインレッド、ホワイト、イエローなどの色にすることができる。含水率調整成分と顔料（着色剤）とを同時に樹脂１２に混合してもよいし、含水率調整成分を導入した後に顔料を樹脂１２に混合してもよい。また、顔料を導入した後に含水率調整成分を樹脂１２に混合しても構わない。なお、白または透明の繊維（樹脂繊維）を後から染色することもできる。
【００８０】
次に、含水率調整成分を含む樹脂（含水樹脂）１２を金型から押し出す（工程Ｓ２０）。金型には、人工まつげ本体部１０の形状（断面形状）を規定する開口部が形成されて
いる。本実施形態では、図１３に示すような円形形状を有する開口部を規定する金型を用いている。含水率調整成分を含む樹脂（樹脂混合物）を金型から押し出すと、図１３に示した断面形状を有する繊維状の材料が得られる。なお、上述したように、本実施形態の円形形状は、幾何学形状の円形（真円）に限らず、略円形のものであってよい。また、金型の開口部は、円形形状に近い略円形の形状のものでなく、扁平率の大きいもの（例えば、横広の楕円形または長円）にしても構わない。
【００８１】
次に、押し出しした繊維状の材料を、まつげエクステ１００（人工まつげ本体部１０）の加工がしやすい長さに切断する（工程Ｓ３０）。すなわち、まつげエクステ１００に対応する所定の長さに切断する。切断するときは、所定長さで繊維状の材料をカッター（切断装置）で切断すればよい。その後、切断して所定の長さ（まつげエクステ１００に対応する長さ）になった人工まつげ本体部１０の先端を薬品につけて、人工まつげ本体部１０の先端部１１を形成する（工程Ｓ４０）。すなわち、樹脂１２を溶解させる薬品に人工まつげ本体部１０の一部（先端）をつけることで、樹脂１２の一部を溶解させて、人工まつげ本体部１０の径を細めて先端部１１を形成する。具体的には、切断した人工まつげ本体部１０を、図７に示したようなバンド３１００で束ねて、そこで人工まつげ本体部１０（３０００）の先端（３１１１）を薬品に所定時間浸けて溶解させ、人工まつげ本体部１０の先端部１１を形成する。
【００８２】
次に、人工まつげ本体部１０を整列させる（工程Ｓ５０）。具体的には、図８に示すように、先端部１１（３１１１）を有する人工まつげ本体部１０（３０００）を平板３２００の上に置いて、次いで、重石（文鎮のような器具）３３００で、人工まつげ本体部１０（３０００）を抑えることにより、人工まつげ本体部１０を整列させる。
【００８３】
ここで、本実施形態の人工まつげ本体部１０は、含水率（水分量）が調整されているので、静電気の発生が防止（抑制）されている。なお、典型的な人工まつげ本体部３０００（含水率調整成分が配合されていない人工まつげ本体部）の場合、典型的な人工まつげ本体部３０００に静電気が発生する。結果として、軽くて細い人工まつげ本体部３０００は当該静電気で複数本が密着してしまい、簡単に整列させることができない。加えて、典型的な人工まつげ本体部３０００（含水率調整成分が配合されていない人工まつげ本体部）の静電気の発生を防止するために、霧吹きなどで人工まつげ本体部３０００に水滴をつけたら、軽くて細い人工まつげ本体部３０００は水でベタベタになってしまい、整列作業を行うことができなくなってしまう。
【００８４】
一方、本実施形態の人工まつげ本体部１０の場合、静電気の発生がないので、軽くて細い人工まつげ本体部１０であっても、簡単に且つきれいに人工まつげ本体部１０（３０００）の整列を行うことができる。含水率が制御されていない典型的な人工まつげ本体部１１０の整列工程を行う場合（図６の工程Ｓ１５０）、この整列工程は、熟練の工員でも、例えば４センチ幅■８センチ幅で６分以上（一例では、６〜１０分）かかるが、本実施形態の人工まつげ本体部１０の整列工程（Ｓ５０）の場合、同様のスキルの工員で、例えば３分以下（一例では、２〜３分）で行うことができ、時間は二分の一以下にすることができ、さらに熟練度の低い工員でも、静電気の影響がないので、作業時間は同じように短縮することができる。また、整列工程（Ｓ５０）の際における人工まつげ本体部１０の取り扱いが簡便になるので、人工まつげ本体部１０の不良品発生率を下げることができ、すなわち、歩留まりを向上させることができる。
【００８５】
先端が尖った先端部１１を基準にして整列を揃えて（整列精度：±０．２ｍｍ以内）、隣接する人工まつげ本体部１０の間の隙間がなくなるようにきれいに埋めたら、その整列（整列した人工まつげ本体部１０のブロック）をテープで留めて固定する。具体的には、図９に示すようにして、先端部１１（３１１１）を基準にして、整列させた人工まつげ本体部１０（３０００）を、テープ３４００（繊維用の固定部材、または、粘着層テープ）で固定する。なお、図９では、人工まつげ本体部１０（３０００）の根本３１１５Ｂの不揃いがわかりやすいように、誇張して長さの違いを表している。
【００８６】
次に、人工まつげ本体部１０の根本（末端部１５）を切断する。具体的には、図９に示すようにして、整列させた人工まつげ本体部１０（３０００）の根本（３１１５Ｂ）を切断して、きれいに長さが揃った人工まつげ本体部１０（３０００）の末端部１５（３１１５）を形成する。
【００８７】
次に、人工まつげ本体部１０のカールを行う（工程Ｓ６０）。このカール工程は、先端部１１基準で高精度に整列した人工まつげ本体部１０（図１０の人工まつげ本体部３０００参照）を加熱して、人工まつげ本体部１０の形状を湾曲させ、その形状を記憶（固定）させることによって行う。例えば、人工まつげ本体部１０のカール形状（例えば、図１７（ａ）から（ｄ）参照）になるように、人工まつげ本体部１０を型に押し当てて、加熱と冷却を行うことで、所望形状のカールを形成する。具体的には、筒状の金属パイプ（アルミパイプ）やガラス棒に人工まつげ本体部１０をテープなどで巻き付けて一定時間加熱することによって、人工まつげ本体部１０にカール（１０ｃ）を形成する。カールの強弱は巻きつけるパイプの口径を小さくしたり大きくしたりすることによって調整する。なお、人工まつげ本体部１０の太さや水分率によっても値は変化するが、加熱温度は例えば１６０〜１９０℃、加熱時間は例えば３〜３０分、その後、冷却時間は３〜３０分である。毛先の太さによっては加熱と冷却時間を調整し同じ作業を数回繰り返すこともある。なお、カール工程（Ｓ６０）では加熱処理を行うので、含水率調整成分を質量％で表示する場合は、全体の重さが変化すると、その値が変わる場合があるので留意する必要がある。例えば、カール工程（Ｓ６０）が終わった直後における含水率調整成分の配合割合（質量％）は０．０１％以上５％以下であるが、これは例示であり、使用する材料や条件または必要とする特性に応じて、適宜好適なものを採用したらよい。
【００８８】
次に、所望のカール（１０ｃ）が形成されたまつげエクステ１００のブロック（一列に整列されたまつげエクステ１００）を台紙に貼って、まつげエクステ１００のブロックを固定する（工程Ｓ７０）。具体的には、図１８に示すようなケース２００（本実施形態に係るまつげエクステ用ケース）に収納されている台紙１５０に、まつげエクステ１００のブロックを貼り付ける。図１９に示すように、台紙１５０の表面には粘着層１５５が形成されており、その粘着層１５５に、まつげエクステ１００の末端部１５を貼り付けることで固定する。台紙１５０の上に固定された状態において、まつげエクステ１００の先端部１１（尖った先端）は、基準線１３０に対して高精度に揃った状態を維持している。本実施形態では、基準線１３０に対して例えば±０．５ｍｍの範囲内（好ましくは±０．２ｍｍ）になる精度で、まつげエクステ１００を整列している。
【００８９】
本実施形態のケース２００は、まつげエクステ１００が貼り付けされる台紙１５０と、台紙１５０を収納する容器本体部２１５とから構成されている。図１８に示したケース２００の場合、台紙１５０を保持する台紙ストッパー２１１が設けられている。台紙１５０は紙（または樹脂）から構成された部材であり、容器本体部２１５は、樹脂から構成されている（この例では、透明な樹脂）。なお、ケース２００は、図４に示したような蝶番形式で連結された容器部（図４中の容器本体部２３００、２４００）に、まつげエクステ１００が貼り付けられた台紙１５０（図４中の１５００）を組み合わせたものであってもよい。
【００９０】
図１８に示した本実施形態のケース２００を開いた場合の構造を図２０に示す。ケース２００の容器本体部２１５は、第１カバー２１５Ａと第２カバー２１５Ｂとから構成されており、それぞれを順番に閉じるようにして、図１８に示した容器本体部２１５の態様になる。第１カバー２１５Ａと第２カバー２１５Ｂとは、台座部２１０によって互いに連結されており、台座部２１０の上に台紙１５０が配置される。台紙１５０は、台紙ストッパー２１１によってケース２００内でなるべく動かないように固定されている。
【００９１】
図２０に示した状態において、ケース２００の台座部２１０に、まつげエクステ１００（複数本のまつげエクステの一列ブロックを複数列）を貼り付けた台紙１５０を収納することができる。また、図２０に示した状態において、台紙１５０に貼り付けられたまつげエクステ１００を１本ずつピンセットで掴んで、台紙１５０から剥がすことができる。そのまつげエクステ１００は、図１５に示すように、接着剤２０を使って、装着者５５のまつげ５０に取り付けることができる（図２（ａ）から（ｃ）も参考）。
【００９２】
図４に示したケース２０００と比較して、図１８及び図２０に示したケース２００は、次のような利点がある。まず、図４に示したケース２０００は蝶番構造部位があるので、そこが壊れやすいが、図２０に示したケース２００は、蝶番構造部位がないので構造的に強く、また、第１カバー２１５Ａと第２カバー２１５Ｂと台座部２１０と台紙ストッパー２１１とを一連の部材（樹脂）で作製することができるので、製造的な面でもメリットがある。また、図４に示したケース２０００の場合、ケース２０００に衝撃が加わると、折角、きれいに整列させたまつげエクステ１０００のブロック１５００が崩れてしまうことが多い。特に、容器部２３００が硬質樹脂で構成されている場合、衝撃がまつげエクステ１０００に伝わりやすく、整列を崩してしまいやすい。一方、図２０に示したケース２００（第１カバー２１５Ａと第２カバー２１５Ｂと台座部２１０と台紙ストッパー２１１の連続した一連部材）を軟質樹脂（例えば、ＰＶＣ（ポリ塩化ビニル）、ＰＥＴ（ポリエチレンテレフタレート）、アクリル系樹脂など）から構成した場合、衝撃を全体で受け止めて、まつげエクステ１００の整列が崩れ難い。本実施形態の製造方法によって、まつげエクステ１００の整列が簡便になったことに加えて、本実施形態のケース２００を用いれば、その整列が、外部からの衝撃で崩れることを抑制することができる。なお、台紙に貼らずにバラバラの状態で保管する場合（例えば、図３に示したケース２０００又は袋に入れる場合）は、整列工程（Ｓ５０）からカール工程（Ｓ６０）を経て、まつげエクステ１００を作製して、ケース詰め（袋詰め）をしたらよい。この場合でも、長さをきちんと揃えるための整列工程（Ｓ５０、および、Ｓ５５）における静電気抑制効果のメリットを得ることができる。
【００９３】
＜実施例＞
次に、人工まつげ本体部１０中の含水率に対する静電気体感度、整列時間、および、作業効率の体感変化との関係についての実験を行い、その結果を図２１に示す。本実験は、次のようにして行った。すなわち、カールしていないＰＢＴベースの人工まつげ本体部（１０、３０００）を用意し、整列作業（Ｓ５０）を行い、作業員による静電気体感度、整列時間、作業効率の体感変化を評価した。含水率（％）が「無」のサンプルは、含水調整成分を混入させていない人工まつげ本体部である。ただし、含水調整成分が含有されていなくても、含水率（％）が「無」のサンプルは、周囲の水分・湿度の影響で、０．１％未満（または、０．１％以下）の含水率を示した。含水率（％）が０．２０％、０．３０％、１．００％、５．００％のサンプルは、含水調整成分を含有（配合）させることで含水率を調整した人工まつげ本体部１０である。室温・湿度および工員の熟練度によるバラツキをできるだけおさえるべく、同一の場所で、同日に同じ時間に２名の工員で整列工程（Ｓ５０）を行い、その工程の際の静電気体感度、整列時間（平均）、作業効率の体感変化を実験により確認した。なお、静電気については、電子機器による測定（数値）よりも、人間の手の感度の方がより意味があるものであるので（すなわち、繊細なものがわかるとともに、整列工程の評価として意味があるので）、そちらを採用した。
【００９４】
図２１のテーブルに示すように、まず、含水率が「無」のサンプルでは、静電気体感度は「強」であり、整列時間（平均）は６分３０秒であった。これが通常の整列工程である。作業効率の体感としては、整列に静電気が邪魔をするために手直しが２分ほどかかった。
【００９５】
含水率が０．２０％のサンプルでは、静電気体感度は「強」であり、整列時間（平均）は５分２０秒であった。整列時間は、「無」のサンプルよりも、約１分短縮された（約２割の時間短縮ができた）。静電気体感度の変化としては、静電気の減少の体感はないが、整列の手直しの時間は短縮した。
【００９６】
含水率が０．３０％のサンプルでは、静電気体感度は「弱」であり、整列時間（平均）は２分４５秒であった。整列時間は、「無」のサンプルよりも、約４分短縮された（約６割の時間短縮ができた）。静電気体感度の変化としては、明らかに整列しやすくなり、手直しの時間は大幅に短縮した。
【００９７】
含水率が１．００％のサンプルでは、静電気体感度は「弱」であり、整列時間（平均）は２分１０秒であった。整列時間は、「無」のサンプルよりも、約４分２０秒短縮された（約６割以上の時間短縮ができた）。非常に整列しやすくなり、また、部分的な手直しの必要性はほぼゼロになった。
【００９８】
含水率が５．００％のサンプルでは、静電気体感度は「無し」であり、静電気は感じられなくなった。整列時間（平均）は３分００秒であった。整列時間は、「無」のサンプルよりも、約３分３０秒短縮された（約５割の時間短縮ができた）。整列はしやすいが、部分的な直しが若干必要となった。
【００９９】
この実施例からわかるように、含水調整成分を配合して含水率を調整した人工まつげ本体部１０の整列工程は大幅に改善した。この実施例では、特に、含水率が０．２０％〜５．００％の範囲において整列時間の向上が見られ、含水率が０．３０％から１．００％の範囲において手直しの時間がほぼゼロになったか、大幅に短縮できた。
【０１００】
なお、含水率を多くすれば静電気の影響が減るので良いのであるが、その一方で、含水率が高くなればなるほど、カール（１０ｃ）を維持する期間は短くなるという関係が本願発明者によって見出された。また、空気中の水分で硬化が開始する接着剤（２０）を使用しているので、含水率（水分率）が高すぎるまつげエクステ１００（人工まつげ本体部１０）を用いると、接着剤の硬化速度が必要以上に早まるため施術が困難になる。さらに、含水率が高すぎると、含水率が低い場合と比較して、膨張しやすいため、接着剤（２０）の破壊につながる可能性があり、それゆえに、まつげエクステの装着持続力が低下する可能性を高める。まつげエクステ（人工まつげ本体部）の含水率が多くなればなるほど、カール（１０ｃ）の維持期間が短くなるという関係があるので、含水率の値に上限を設けることで（すなわち、所定値以下の含水率にすることで）、カール（湾曲）の持続時間をコントロールし、カール形状が崩れて（緩くなって）しまうケースを抑制することができる。本実施形態の構成においては、人工まつげ本体部１０中の含水率（質量％）は、１０％以下が好ましく、例えば５％以下（場合によっては、３％以下、または、２％以下もしくは１％以下）である。
【０１０１】
本実施形態に係るまつげエクステ１００の製造方法では、樹脂１２の含水率を調整した後（Ｓ１０）、その樹脂１２を金型から押し出し（Ｓ２０）、押し出しした繊維状の材料を切断する（Ｓ３０）。これにより、先端部１１を有する人工まつげ本体部１０を形成した後に、人工まつげ本体部１０を整列させるときに（Ｓ５０）、人工まつげ本体部１０に発生する静電気を抑制することができ、その結果、人工まつげ本体部１０の整列工程（Ｓ５０）を簡単に行うことが可能となる。
【０１０２】
人工まつげ本体部の整列工程は、非常に手間がかかる工程であったが、本実施形態の製造方法によれば、静電気抑制できることで、簡単に且つきれいに整列工程（Ｓ５０）を実行することができる。また、樹脂１２の含水率を調整する工程において、樹脂１２に含水率調整成分（静電気抑制成分）を含有させることで、樹脂１２中に水を直接導入して含水率を調整する場合と比較して、樹脂１２中の含水率のコントロールを容易に行うことができる。
【０１０３】
さらに、本実施形態の手法においては、整列工程（Ｓ５０）にて整列させたその人工まつげ本体部１０のブロックを（一括で）カールすることによって（Ｓ６０）、高精度で整列した状態のまつげエクステ１００を１つのブロック（１列のまつげエクステンション）にすることができ、次いで、台紙１５０に固定（粘着）することができる（Ｓ７０）。なお、まつげエクステ１００を台紙１５０に固定した後に外して（例えば、サロンへ配送した後に外して）、ばらばらの状態で保管して、その状態から施術に使用しても構わない。
【０１０４】
加えて、本実施形態に係るまつげエクステ１００は、含水率調整成分（静電気抑制成分）を含有している。これにより、本実施形態の係る人工まつげ本体部１０の含水率の調整が容易となるので（含水率の上限を制御できるので）、当該まつげエクステ１００のカールの持続時間のコントロール／制御ができる。これにより、静電気抑制の効果（整列工程の作業効率性）を優先させすぎて、まつげエクステ１００のカール（１０ｃ）が不良になってしまうという可能性を低下させることができるので、消費者（装着者）の満足を維持することができる。
【０１０５】
なお、図１２に示したまつげエクステ１００では、断面が円形であるものを示したが、それに限らず、まつげエクステ１００の断面を多面形（六角形、八角形など）に改変することも可能であるし、断面を星形（六角形の星形、八角形の星形）にすることも可能である。これらの断面が非円形のまつげエクステであっても、整列工程（Ｓ５０）およびカール工程（Ｓ６０）のメリットを受けることができるからである。そのようなまつげエクステの一例としては、具体的には、図２２から図２４に示すように、溝３４が形成された多角形の星形形状のまつげエクステ１０１にすることができる。
【０１０６】
図２２は、本実施形態のまつげエクステ１０１の構成を示す斜視図である。図２３は、図２２中のＡ−Ａ線に沿った断面図を示している。図２４は、図２２中のＢ部分における拡大側面図を示している。
【０１０７】
本実施形態のまつげエクステ１０１では、人工まつげ本体部１０は樹脂１２から構成されており、そして、人工まつげ本体部１０の含水率が所定値（静電気防止効果、カール持続効果が得られる値）に調整されている。そして、人工まつげ本体部１０の延長方向６５に沿って溝３４が延びている。また、図２３に示すように、人工まつげ本体部１０の断面は、正八角形の構造を有しており、各頂点３２の間に溝３４が形成されている。より具体的には、人工まつげ本体部１０の断面の頂点３２は、正八角形の頂点に位置している。したがって、頂点３２は４５°ごとに形成されている。０°と９０°との間の部分で説明すると、０°と４５°と９０°の位置に頂点３２が位置しており、０°と４５°との頂点の間に溝３４が設けられ、そして、４５°と９０°との頂点の間にも溝３４が設けられている。なお、断面の星形は、六角形でも五角形でも四角形でも、又は三角形を採用しても構わない。
【０１０８】
人工まつげ本体部１０に形成される溝３４の深さＴは、太さを１００とした場合に、例えば２０から４０（典型的には３０）にすることができる。本実施形態の構成では、溝３４は、末端部（根本部）１５の端面１５ａから先端部１１まで形成されている。ただし、必ずしも先端部１１の先まで溝３４を形成しなくてもよく、少なくとも根本部１５に形成されていればよい。これは、まつげエクステ１０１の製造方法によっては、径が細くなる先端部１１において溝３４が消えてしまうことがあるからである。
【０１０９】
本実施形態のまつげエクステ１０１では、例えば、溝３４は、根本部１５から、根本部１５の端面１５ａと先端部１１との中間に位置する中間点まで延ばすようにすることができる。なお、まつげエクステ１０１の製造方法によっては、根本部１５の端面１５ａの位置では、人工まつげ本体部１０の一部が溶けて溝３４が消えた構造になることもある。したがって、根本部１５の部分に溝３４が形成されていても、根本部１５の端面１５ａの箇所に溝３４が形成されていなくてもよい。
【０１１０】
本実施形態のまつげエクステ１０１では、人工まつげ本体部１０の含水率の調整が行われている。また、人工まつげ本体部１０を構成する樹脂１２に含水率調整成分（例えば、親水性の高分子材料（または、親水性の有機材料）、親水性の無機材料など）が配合されている。それに加えて、人工まつげ本体部１０における根本部１５の断面は、頂点３２の間に溝３４が位置する多角形状を有している。したがって、人工まつげ本体部１０の多角形状の溝３４によって、接着剤２０を保持することが容易となり、使用者のまつげ５０と人工まつげ本体部１０との接着性を良好にすることができる。すなわち、上述したまつげエクステ１００の効果に加えて、さらに接着性を良好にすることができる。
【０１１１】
また、多角形の断面の頂点３２の間に溝３４が位置しているので、１つの方向だけでなく他の方向からでも、接着剤を保持した溝３４を使って、人工まつげ本体部１０をまつげ５０に接着させることができる。さらに、人工まつげ本体部１０には複数本の溝３４が形成されているので、溝３４が形成されていないものと比較すると、まつげエクステ１０１の重さ（質量）を軽くすることができる。まつげエクステ１０１の一本一本の重さは軽くても、それらは使用者のまつげに取り付けられるものであるから、まつげエクステ１０１の重さを軽くできることは、使用者（ユーザ）の使用感に影響を与えることができ、その結果、つけ心地の感じのよいまつげエクステ１０１を実現することができる。本実施形態のまつげエクステ１０１では、人工まつげ本体部１０の太さや溝３４の深さＴにも依存するが、複数の溝３４がないものと比較して、まつげエクステの重さを例えば１０％〜７０％程度軽くすることが可能である。
【０１１２】
次に、図１２に示したまつげエクステ１００では、人工まつげ本体部１０の表面１０ａに凹凸部やザラザラ部が形成されていないものを示したが、それに限らず、まつげエクステ１００の表面１０ａに凹凸部やザラザラ部が形成されているものに改変することも可能である。そのような表面（凹凸部やザラザラ部）を有するまつげエクステであっても、整列工程（Ｓ５０）およびカール工程（Ｓ６０）のメリットを受けることができるからである。そのようなまつげエクステの一例としては、具体的には、図２５から図２７に示すように、ザラザラした表面部４０を有するまつげエクステ１０２にすることができる。
【０１１３】
図２５は、本実施形態のまつげエクステ１０２の構成を示す斜視図である。図２６は、図２５中のＡ−Ａ線に沿った断面図を示している。図２７は、図２５中のＢ部分における拡大断面図を示している。
【０１１４】
本実施形態のまつげエクステ１０２では、人工まつげ本体部１０の含水率の調整が行われている。また、人工まつげ本体部１０を構成する樹脂１２に含水率調整成分（例えば、親水性の高分子材料（または、親水性の有機材料）、親水性の無機材料など）が配合されている。それに加えて、人工まつげ本体部１０の長手方向における中間点よりも根本部１５の端面１５ａ側に、ザラザラした表面部４０が形成されている。特に、ザラザラした表面部４０は、まつげ５０と接する領域に形成されていればよく、接着剤２０が付与される箇所だけに選択的に形成することも可能である。
【０１１５】
本実施形態のザラザラした表面部４０は、複数の粒状の凹凸４１を含んでいる。この粒状の凹凸４１からなるザラザラした表面部４０は、根本部（末端部）１５の全周にわたって形成されている。したがって、根本部１５の表面の全方位において、ザラザラした表面部４０が形成されており、接着剤２０を何れの方向から根本部１５に付与しても、ザラザラした表面部４０の上に塗布することができる。
【０１１６】
本実施形態の構成において、人工まつげ本体部１０のザラザラした表面部４０は、フロスト加工を施すことによって形成されている。言い換えると、人工まつげ本体部１０には、フロスト加工によって生じた凹凸４１が形成されている。フロスト加工とは、表面を霜のようにザラザラさせる加工（または、磨りガラスのようにザラザラさせる加工）のことをいい、本実施形態では、サンドブラストによって人工まつげ本体部１０に凹凸４１を形成する。サンドブラストは、表面に砂などの研磨材を吹き付ける加工方法のことである。例えば、人工まつげ本体部１０の根本部１５に、コンプレッサによる圧縮空気に研磨剤を混ぜて吹き付けることにより、当該根本部１５にザラザラした表面部４０を形成することができる。サンドブラストに使用するサンド（研磨材）は、いわゆる砂に限らず、人工まつげ本体部１０に凹凸４１を形成するのに適した研磨剤を使用することができる。
【０１１７】
本実施形態の凹凸４１の深さ（凸部から凹部までの高さの差）は、例えば、０．０１ｍｍ〜０．１ｍｍ程度であるが、それに限定されるものではない。具体的には、ザラザラした表面部４０を形成するために使用したフロスト加工（例えば、サンドブラスト）の条件によって決定されるとともに、使用するフロスト加工にあわせて適宜好適な凹凸４１を形成することが可能である。
【０１１８】
加えて、人工まつげ本体部１０に貫通孔を形成して、その貫通孔によって、ザラザラした表面部４０を形成することも可能である。その場合には、凹凸４１を構成する貫通孔の長さは、人工まつげ本体部１０の直径φに相当するものになる。また、貫通孔を形成した場合には、まつげエクステ１０２の重さ（質量）を軽くすることができるという利点も得られる。まつげエクステ１０２の一本一本の重さは軽くても、それらは使用者のまつげに取り付けられるものであるから、エクステンションの重さを軽くできることは、使用者（装着者）の装着感に影響を与えることができ、その結果、つけ心地の感じのよいエクステンションを実現することができる。
【０１１９】
本実施形態のザラザラした表面部４０は、ヤスリ（具体的には、紙ヤスリ）を擦りつけることによって形成することができる。紙ヤスリは、研磨加工に用いる紙状のシートに研磨材を塗布した工具である。紙ヤスリによって、ザラザラした表面部４０を形成する場合、使用する紙ヤスリの粗さ（番手）によって、ザラザラした表面部４０の凹凸４１の形状・深さなどを調整することができる。
【０１２０】
人工まつげ本体部１０の根本部１５にザラザラした表面部４０を形成する場合、多数の人工まつげ本体部１０を揃えて、次いで、サンドブラストを根本部１５に施すことにより、一度の処理で、ザラザラした表面部４０を有する人工まつげ本体部１０を多数形成することができる。また、多数の人工まつげ本体部１０を揃えた状態で、根本部１５に紙ヤスリを施すことにより、一度の処理で、ザラザラした表面部４０を有する人工まつげ本体部１０を多数形成することも可能である。もちろん、一本の人工まつげ本体部１０に紙ヤスリを施して、ザラザラした表面部４０を形成しても構わない。加えて、本実施形態のまつげエクステ１０２は、ザラザラした表面部４０（凹凸４１）はレーザ照射によって形成してもよい。
【０１２１】
本実施形態のまつげエクステ１０２では、人工まつげ本体部１０の根本部１５はザラザラした表面部４０を有しているので、当該ザラザラした表面部４０によって、接着剤２０を保持することが容易となり、使用者のまつげ５０と人工まつげ本体部１０との接着性を良好にすることができる。すなわち、上述したエクステンション１００の効果に加えて、さらに接着性を良好にすることができる。さらに説明すると、本実施形態のまつげエクステ１０２の場合、ザラザラした表面部４０により、平滑の場合の表面と比較して表面積が増えたことによって（あるいは、凹凸４１によって）接着剤２０の保持がよく、それゆえに、接着剤２０の付きがよい。
【０１２２】
また、上述した例では、人工まつげ本体部１０の形状を星形にしたり、ザラザラした表面４０にしたりして、接着力を増すようにしたが、凹凸・ザラザラにするような人工まつげ本体部１０の改変（凹凸、ざらざら）は、加熱、加圧、レーザ照射などの手法を用いて（あるいは、それらを組み合わせて）、線または線状のものを、人工まつげ本体部１０の表面に形成することによって行うことができる。凹凸・ざらざらのための線（線分）は、人工まつげ本体部１０の長手方向に沿って形成してもよいし、人工まつげ本体部１０の長手方向でない側の方向（例えば、円周方向、斜め方向）に形成してもよい。
【０１２３】
以上、本発明を好適な実施形態により説明してきたが、こうした記述は限定事項ではなく、勿論、種々の改変が可能である。例えば、図１６に示した例では、上まつげ５０にまつげエクステ１００を装着したが、下まつげにまつげエクステ１００を装着しても構わない。また、上述した改変例の形態を、相互に（矛盾しない限り）適用することも可能である。さらに、上述した例では、１本のまつげ５０に、１本のまつげエクステ１００を装着したが、複数本（２本とか３本、４本とか）の人工まつげ本体部１０が一つのまつげエクステ１００になった構成のもの（枝分かれしたまつげエクステ、二股になったまつげエクステなど）を、まつげ５０に装着してもよい。複数本（２本とか３本、４本とか）の人工まつげ本体部１０が一つのまつげエクステ１００になった構成（または、１本の繊維が裂けているような構成）の場合も、静電気防止による整列工程（Ｓ５０）のメリットを受けることができるからである。
【０１２４】
上述の実施形態の構成では、複数のまつげエクステ１００を台紙１５０に整列させた例で説明したが、本実施形態のまつげエクステ１００は、ばらばらの状態で、袋に入れて保管したり、図３に示したようなケース２０００に収納しても構わない。具体的には、本実施形態における静電気防止（含水率調整）のまつげエクステ１００を製造した後に、図１０に示したテープ３４００から外して、袋やケース２０００に入れても良いし、台紙１５０に一度貼った後に袋やケース２０００に入れても構わない。
【０１２５】
加えて、上述の実施形態では、まつげエクステンションの形態について説明してきたが、カール工程（Ｓ６０）については、つけまつげの形態（商品）にも適用可能である。すなわち、本発明の実施形態に係る技術は、カール（１０ｃ）が形成された人工まつげ本体部１０を含む人工まつげ（まつげエクステ、つけまつげ）に用いることができる。図２８は、本実施形態に係るつけまつげ１０５の構成を示している。つけまつげ１０５は、本実施形態の人工まつげ本体部１０（含水率が調整された人工まつげ本体部１０）と、それを接続する接続繊維部１９とから構成されている。つけまつげ１０５の人工まつげ本体部１０でもカール（１０ｃ）は施されている。そして、つけまつげ１０５を製造する際においても、人工まつげ本体部１０の静電気が防止されて、人工まつげ本体部１０の取り扱いがスムーズになるメリットは共通である。また、カール１０ｃの形状記憶期間を制御できる点も共通である。
【産業上の利用可能性】
【０１２６】
本発明によれば、まつげエクステンションの整列作業を改善することができるまつげエクステンションの製造方法を提供することができる。
【符号の説明】
【０１２７】
１０  人工まつげ本体部
１０ｃ  湾曲部（カール）
１１  先端部
１２  樹脂
１５  末端部（根本部）
１９  接続繊維部
２０  接着剤
３２  頂点
３４  溝
４０  ザラザラした表面部
４１  凹凸
５５  使用者（装着者）
６０  ピンセット
１００  まつげエクステ（人工まつげ）
１０１  まつげエクステ
１０２  まつげエクステ
１０５  つけまつげ（人工まつげ）
１３０  基準線
１５０  台紙
１５５  粘着層
２００  ケース（容器）
２１０  台座部
２１１  台紙ストッパー
２１５  容器本体部
１０００  まつげエクステンション
１５００  ブロック
２０００  ケース
３０００  人工まつげ本体部（繊維）
３１００  バンド
３３００  重石
３４００  テープ（固定部材）
【図１】
2017172090.tif 000003
【図２】
2017172090.tif 000004
【図３】
2017172090.tif 000005
【図４】
2017172090.tif 000006
【図５】
2017172090.tif 000007
【図６】
2017172090.tif 000008
【図７】
2017172090.tif 000009
【図８】
2017172090.tif 000010
【図９】
2017172090.tif 000011
【図１０】
2017172090.tif 000012
【図１１】
2017172090.tif 000013
【図１２】
2017172090.tif 000014
【図１３】
2017172090.tif 000015
【図１４】
2017172090.tif 000016
【図１５】
2017172090.tif 000017
【図１６】
2017172090.tif 000018
【図１７】
2017172090.tif 000019
【図１８】
2017172090.tif 000020
【図１９】
2017172090.tif 000021
【図２０】
2017172090.tif 000022
【図２１】
2017172090.tif 000023
【図２２】
2017172090.tif 000024
【図２３】
2017172090.tif 000025
【図２４】
2017172090.tif 000026
【図２５】
2017172090.tif 000027
【図２６】
2017172090.tif 000028
【図２７】
2017172090.tif 000029
【図２８】
2017172090.tif 000030